(57)【特許請求の範囲】
【請求項１】
炊飯用の容器を加熱制御するヒータ制御手段と、前記容器内の温度を検知する温度検知手段と、炊飯を開始させる炊飯開始スイッチの操作で第１のコンデンサに充電させる第１の充電回路手段と、この第１の充電回路手段の充電電圧で炊飯を保持する炊飯開始保持手段と、からなり、
前記容器内が所定の温度に達すると前記温度検知手段は出力をＬＯＷにして、前記第１のコンデンサを前記第１の充電回路手段から第１の抵抗器に切換えて放電させこの放電時定数を蒸らしタイマーとして機能させると共に、
トランジスタと第２の抵抗器と第２のコンデンサとの直列接続体からなる第２の充電回路手段に充電させ、前記第２のコンデンサの充電電圧と基準電圧を第２の比較器で比較判別させて、前記ヒータ制御手段の加熱制御を停止するとした非マイコン炊飯器の制御回路。
【請求項２】
炊飯開始後、炊飯工程中を示す表示の制御をヒータ制御手段の出力で行い、保温工程中を示す表示の制御を炊飯開始保持手段の出力で行い、蒸らし工程中を示す表示の制御を炊飯開始保持手段の出力と温度検知手段の出力間の電位差で行う構成とした請求項１記載の非マイコン炊飯器の制御回路。
【発明の詳細な説明】
【０００１】
【発明の属する技術分野】
本発明はマイクロコンピュータを搭載しない炊飯器（以下、非マイコン炊飯器という）において、所定の温度を検出してヒータの通電を遮断する制御を行う非マイコン炊飯器の制御回路に関するものである。
【０００２】
【従来の技術】
従来の非マイコン炊飯器においては、特開昭５４−３３１７０号公報及び特開昭５４−１５９０６３号公報に開示されているような炊飯完了時に開放状態となるメカニカルな熱応動スイッチを具備し、その開放状態になった時点から集積回路や電解セルを利用した別のタイマー機能を持った回路が通電され、蒸らし工程を所定のタイマー時間だけ確保できるようにした構成のものであった。
【０００３】
従って、熱応動スイッチのため、再加熱防止機能は構造上不可能なものであり、図１３にこのような熱応動スイッチを採用した従来の非マイコン炊飯器の構造を示す。
【０００４】
図１３において、２０１は外鍋、２０２は内鍋、２０３は主ヒータ、２０４はフェライトのキューリ点を利用したサーモフェライトセンサで、炊き上がり温度になると磁力を失いマグネット２０５がサーモフェライトセンサ２０４から離れて落下し、これにより伝達軸２０６及びテコ式レバー２０７を介して電気接点２０８，２０９が開かれて主ヒータ２０３への通電が停止される。２１０は押しボタンで、この押しボタン２１０によりサーモフェライトセンサ２０４とは無関係に電気接点２０８，２０９を開閉することができる。
【０００５】
図１４は上記図１３の構成を回路図で示したものであり、図１４において、２０３は主ヒータ、２０８と２０９はサーモフェライトセンサ２０４のレバー２０７の動作に連動するスイッチ、２１１は商用電源、２１２は蒸らしタイマー回路、２１３は整流用ダイオード、２１４は平滑用コンデンサである。
【０００６】
以上の構成から、炊き上がりによりメカニカルな熱応動スイッチが作動し、電気接点２０８，２０９が開放すると整流用ダイオード２１３と平滑用コンデンサ２１４により作られた直流電流が蒸らしタイマー回路２１２に通電され、特開昭５４−３３１７０号公報に記載されているタイマーＩＣや、特開昭５４−１５９０６３号公報に記載されている電解セルを作動させ蒸らしタイマーを構成している。
【０００７】
このような従来構造の場合、炊飯スイッチ部がメカニカル式であるため、外部から自由に炊飯スイッチの電気接点２０８，２０９を開閉することができるので、炊飯途中で電気接点２０８，２０９が開かれることや、炊き上がり後に誤って炊飯スイッチを入れることがある等、誤操作により発生する課題が残っていた。
【０００８】
また現在、炊飯器の制御はマイクロコンピュータを用いた制御方式が主流であり、一般的なマイクロコンピュータ方式における機能ブロック図を図１０に示す。
【０００９】
図１０において、１０５は入力信号の条件により出力に接続された制御回路及び制御部品を内部プログラムにより制御するマイクロコンピュータ、１０１は直流電源回路、１０２は炊飯及び保温中の内鍋温度を検知する感温センサ、１０３は感温センサ１０２のアナログ信号をデジタル信号に変換するＡ／Ｄ変換回路、１０４はマイクロコンピュータ１０５のシステムクロック発振回路、１０７は炊飯ヒータ、１０６は炊飯ヒータ１０７への通電又は遮断を行うための炊飯ヒータ制御回路、１０９は保温ヒータ、１０８は保温ヒータ１０９への通電又は遮断を行うための保温ヒータ制御回路である。
【００１０】
以上の構成で蒸らしタイマーは、図１１に示すマイクロコンピュータ方式における蒸らしタイマー構成ブロック図のようになっている。
【００１１】
図１１において、１１１はマイクロコンピュータを起動しているシステムクロック部で、セラミック発振子やＣＲ発振等の回路構成で成り立っており、このシステムクロック部１１１の周波数をシステムクロック分周部１１２で分周し、カウンタ部１１３でカウントした値と、予めプログラムで設定されている蒸らしタイマー設定部１１４の値を比較判定する比較判定部１１５で蒸らしタイマーが構成されており、破線で囲まれた部分１１６はマイクロコンピュータのＲＡＭ（ランダムアクセスメモリー）データ領域を示す。
【００１２】
図１２はマイクロコンピュータ方式における再加熱防止のプログラム上のフローチャートで、図１２を用いて再加熱防止機能の部分に限定して説明する。
【００１３】
１２１は炊飯開始スイッチ操作が行われたかどうかを判別する判断処理で、スイッチ操作が行われない時は「ＮＯ」のループを持続し、次のステップには進まない。スイッチが押されると「ＹＥＳ」へ抜け、１２２の炊き上がり検知判断処理に移る。この炊き上がり検知部１２２では所定の温度に達するまでは「ＮＯ」のループを持続し、所定の温度に達した時「ＹＥＳ」のループへ移り、保温制御のまとまったプログラム処理を行う保温制御部１２３と取消スイッチの操作が行われたかどうかを判別する取消スイッチ半断部１２４の「ＮＯ」のループを持続する状態に入る。この状態の時、炊飯開始の操作をしても反応しないフローに構成したものである。
【００１４】
再度炊飯開始が必要な時には、取消スイッチ判断部１２４でスイッチを操作すると「ＹＥＳ」のループに抜け、１２１の炊飯開始判断部の「ＮＯ」のループへ移らせることで元に戻る。
【００１５】
【発明が解決しようとする課題】
しかしながら上記従来の非マイコン炊飯器の制御回路では、炊飯完了を検出するメカニカルな熱応動スイッチと、蒸らし時間を確保するためのタイマー機能を持った部品及び（制御回路）基板ユニットが必要で、コスト高になるという課題があった。
【００１６】
また、前記マイクロコンピュータを用いた制御回路では、システムクロック発振回路および、入出力制御用プログラムソフトの開発とマスク化が必要不可欠であり、回路構成の煩雑さと高額な開発費用と開発期間の長期化などの課題があった。
【００１７】
本発明はこのような従来の課題を解決し、安価にかつ信頼性の高いタイマー機能と再加熱防止機能と炊飯プロセスの表示機能を備えた非マイコン炊飯器に最適な炊飯器の制御回路を提供することを目的とするものである。
【００１８】
【課題を解決するための手段】
上記課題を解決するために本発明による非マイコン炊飯器の制御回路は、炊飯用の容器を加熱制御するヒータ制御手段と、前記容器内の温度を検知する温度検知手段と、炊飯を開始させる炊飯開始スイッチの操作で第１のコンデンサに充電させる第１の充電回路手段と、この第１の充電回路手段の充電電圧で炊飯を保持する炊飯開始保持手段と、からなり、
前記容器内が所定の温度に達すると前記温度検知手段は出力をＬＯＷにして、前記第１のコンデンサを前記第１の充電回路手段から第１の抵抗器に切換えて放電させこの放電時定数を蒸らしタイマーとして機能させると共に、
トランジスタと第２の抵抗器と第２のコンデンサとの直列接続体からなる第２の充電回路手段に充電させ、前記第２のコンデンサの充電電圧と基準電圧を第２の比較器で比較判別させて、前記ヒータ制御手段の加熱制御を停止する構成としたものである。
【００１９】
この本発明によれば、安価にかつ短期間に信頼性の高いタイマー機能を備えた非マイコン炊飯器の制御回路を得ることができる。
【００２０】
【発明の実施の形態】
本発明の請求項１に記載の発明は、炊飯用の容器を加熱制御するヒータ制御手段と、前記容器内の温度を検知する温度検知手段と、炊飯を開始させる炊飯開始スイッチの操作で第１のコンデンサに充電させる第１の充電回路手段と、この第１の充電回路手段の充電電圧で炊飯を保持する炊飯開始保持手段と、からなり、
前記容器内が所定の温度に達すると前記温度検知手段は出力をＬＯＷにして、前記第１のコンデンサを前記第１の充電回路手段から第１の抵抗器に切換えて放電させこの放電時定数を蒸らしタイマーとして機能させると共に、
トランジスタと第２の抵抗器と第２のコンデンサとの直列接続体からなる第２の充電回路手段に充電させ、前記第２のコンデンサの充電電圧と基準電圧を第２の比較器で比較判別させて、前記ヒータ制御手段の加熱制御を停止する構成としたものであり、第１のコンデンサの放電時定数により簡易な回路構成で蒸らしタイマー機能が得られるという作用を有する。
【００２２】
請求項２に記載の発明は、請求項１記載の発明において、炊飯開始後、炊飯工程中を示す表示の制御をヒータ制御手段の出力で行い、保温工程中を示す表示の制御を炊飯開始保持手段の出力で行い、蒸らし工程中を示す表示の制御を炊飯開始保持手段の出力と温度検知手段の出力間の電位差で行う構成としたものであり、各工程別にシーケンス表示ができるという作用を有する。
【００２３】
以下、本発明の実施の形態について、図１から図９を用いて説明する。
（実施の形態１）
図１は本発明の第１の実施の形態における非マイコン炊飯器の制御回路の基本構成を示すブロック図であり、図１において、（イ）はサーミスタ等で構成された感温センサ、（ロ）は前記感温センサと抵抗器で分圧された電圧と基準電圧とを比較判別する比較器で構成された温度検知手段、（ハ）は非ロック式の炊飯開始スイッチ、（ニ）は充電回路手段、（ホ）は放電回路手段、（ヘ）は炊飯開始保持手段、（ト）は炊飯ヒータ制御手段、（チ）は炊飯ヒータである。
【００２４】
本構成によれば、まず炊飯開始スイッチ（ハ）が押されると充電回路手段（ニ）のコンデンサに充電され炊飯開始保持手段（ヘ）の出力により炊飯ヒータ制御手段（ト）が保持され、炊飯ヒータ制御手段（ト）により炊飯ヒータ（チ）に通電され炊飯状態となる。
【００２５】
次に、感温センサ（イ）が炊き上がりの温度を検知すると温度検知手段（ロ）により炊飯ヒータ制御手段（ト）へ信号を送り炊飯ヒータ（チ）を遮断し炊飯終了となり、同時に炊飯開始スイッチ（ハ）により充電された充電回路手段（ニ）のコンデンサが放電回路手段（ホ）に切り替わり、蒸らしタイマー機能として作用するものである。
【００２６】
図２は本発明の第１の実施の形態における非マイコン炊飯器の具体的な制御回路図であり、この図２を用いて以下に詳細な動作を説明する。
【００２７】
まず、通電された初期状態では、炊飯開始スイッチ（ハ）が押されていないので充電回路手段（ニ）の電解コンデンサ９は充電されていない。従って炊飯開始保持手段（ヘ）の比較器１２のプラス（＋）入力のＤ点は、抵抗器１０と１１で分圧されたＥ点の電圧より低いため、比較器１２の出力Ｆ点はＬＯＷレベルとなっており、炊飯ヒータ制御手段（ト）のダイオード１３を介して比較器１７のマイナス（−）入力のＧ点の電圧も抵抗器１５，１６で分圧されたＨ点より低くなっており、そのため比較器１７の出力ＩはＨＩレベルのためにヒータ制御用リレー１８は駆動されない。
【００２８】
次に、炊飯開始スイッチ（ハ）のスイッチ７を押すと、充電回路手段（ニ）の電流制限抵抗器８を介してコンデンサ９に充電される。このときＤ点の電圧がＥ点の電圧より高くなり、炊飯開始保持手段（ヘ）の比較器１２の出力Ｆ点はＨＩレベルとなり、炊飯ヒータ制御手段（ト）の比較器１７のマイナス（−）入力は抵抗器１４でＨＩレベルが確保されるために、Ｇ点の電圧がＨ点の電圧よりも高くなり、比較器１７の出力ＩはＬＯＷレベルとなってリレー１８が駆動される。
【００２９】
１９はリレー１８の接点で、リレー１８が駆動すると接点１９がＯＮ状態になるために商用電源３９に接続された炊飯ヒータ２０が動作し炊飯工程に入る。
【００３０】
次に、容器内が所定の炊き上がり温度（約１３０℃）に達すると、温度検知手段（ロ）の抵抗器２で分圧されたＡ点の電圧が抵抗器３と４で分圧された炊き上がり温度設定電圧Ｂ点の電圧より高くなるため、比較器５の出力Ｃ点はＬＯＷレベルになり、炊飯ヒータ制御手段（ト）からのダイオード２１を介して比較器１７のマイナス入力のＧ点もＬＯＷレベルとなる。従って比較器１７の出力Ｉ点はＨＩレベルとなり、リレー１８の動作は停止し、炊飯ヒータ２０への通電も遮断される。ここで、温度検知手段（ロ）の出力は、この炊き上がり温度を検知後の容器内に温度が低下している時においてもＬＯＷレベルを保持するために、図示しない一般的な技術である、比較器５の入力Ｂ点と出力Ｃ点との間に、ダイオードと抵抗の直列体を接続し、出力Ｃ点がＬＯＷレベルになると上記ダイオードと抵抗の直列体が抵抗器４に並列接続され、この合成抵抗値により設定電圧Ｂ点を炊き上がり温度設定電圧より低い所望の設定電圧にできて、温度検知手段（ロ）の出力をＬＯＷレベルを保持するようにしている。
【００３１】
なお、感温センサ１は、炊飯ヒータ２０で加熱される容器内の温度を直接または間接的に測定するサーミスタ等である。
【００３２】
次に、前記比較器５の出力Ｃ点がＬＯＷレベルになると、抵抗器８を介して充電回路手段（ニ）の充電された状態の電解コンデンサ９は放電回路手段（ホ）に切り換えられ、抵抗器６と他の回路からの流れ込み防止用ダイオード４４を介して放電する。
【００３３】
この放電時定数が蒸らし時間を確保するタイマーの作用を有し、この時間は電解コンデンサ９のＤ点の電圧が抵抗器１０と１１で分圧したＥ点の電圧に比べて高い間は比較器１２の出力Ｆ点がＨＩレベルであるが、低くなると比較器１２の出力Ｆ点はＬＯＷレベルに切り換わり、その間がタイマーとして動作するというものである。
【００３４】
図３は本発明の第１の実施の形態における動作シーケンスを示すタイミングチャートであり、以下に上記図２による動作の補足説明を行う。
【００３５】
図３において横軸（Ｘ１〜Ｘ４）は炊飯プロセスを示し、初期とは炊飯開始スイッチを押す前の状態であり、炊飯ヒータは通電されていない。Ｘ１の時点で炊飯開始スイッチ（ハ）のスイッチ７が押されるとコンデンサ９に充電され、Ｘ２の時点で充電電圧がＡ点（炊飯開始保持手段（ヘ）の基準電圧点）を越えると炊飯開始保持手段（ヘ）の出力Ｆが（２）でＨＩレベルとなって保持されると同時に（３）で炊飯ヒータ２０が通電される。
【００３６】
この炊飯ヒータ２０の加熱により容器内の温度は徐々に上がり、Ｘ３の時点（４）の炊き上げ温度に達すると、温度検知手段（ロ）の出力Ｃが（５）でＬＯＷレベルになり、（６）で炊飯ヒータ２０がＯＦＦになると同時にコンデンサ９が放電回路手段（ホ）に切り換わって放電を開始して、蒸らしタイマーとして（７）で作動（機能）する。
【００３７】
Ｘ４の時点でコンデンサ９の電圧がＡ点より低くなる点（８）で炊飯開始保持手段（ヘ）の出力Ｆが（９）でＬＯＷレベルとなり、蒸らしタイマー（１０）でタイムアップする。
【００３８】
なお、蒸らしタイマーの（７）から（１０）までの時間Ｔは図２の放電回路手段（ホ）であるコンデンサ９と抵抗器６の定数により決定される。
【００３９】
（実施の形態２）
図４は本発明の第２の実施の形態における非マイコン炊飯器の制御回路の概略構成を示すブロック図であり、前記温度検知手段（ロ）の炊き上がり検知出力で、抵抗器を介してコンデンサに充電させる第２の充電回路手段（リ）と、前記コンデンサの充電電圧と基準電圧を比較判別する第２の比較器からなる再加熱防止手段を備えた構成としたものである。
【００４０】
図４において、上記図１、図２、図３と同一の構成のものは同一符号を付与して詳細な説明を省略するが、（リ）は第２の充電回路手段、（ヌ）は炊き上がり記憶手段で、抵抗器で分圧された基準電圧と第２の充電回路手段（リ）のコンデンサ充電電圧とを比較判別する比較器で構成されている。
【００４１】
本構成によれば、図４において感温センサ（イ）が炊き上がり温度を検知すると温度検知手段（ロ）の出力で第２の充電回路手段（リ）のコンデンサに充電され、その充電電圧により炊き上がり記憶手段（ヌ）の比較器の出力で前記炊飯ヒータ制御手段（ト）の出力が固定され、炊飯ヒータ（チ）の動作もＯＦＦ状態で固定される。
【００４２】
このように温度検知手段（ロ）および炊飯開始保持手段（ヘ）への出力に関係なく炊き上がり記憶手段（ヌ）により炊飯ヒータ制御手段（ト）の出力が炊飯ヒータ（チ）をＯＦＦ状態でロックするために、再加熱防止機能としての作用を有するものである。
【００４３】
図５は本発明の第２の実施の形態における非マイコン炊飯器の具体的な構成を示した制御回路図であり、図５を用いて以下に「炊き上がり検知」の詳細な動作を説明する。なお、第１の実施の形態との重複部分は説明を簡略化する。
【００４４】
まず、感温センサ１が炊き上がり温度（設定温度１３０℃）に達すると、抵抗器２で分圧されたＡ点の電圧がＢ点の基準電圧を越えて、比較器５の出力Ｃ点がＬＯＷレベルになり、第２の充電回路手段（リ）の抵抗内蔵型トランジスタ２２が作動し、電流制限抵抗２３を介してコンデンサ２４に充電する。この充電電圧Ｊ点が炊き上がり記憶手段（ヌ）の比較器２５のＥ点の基準電圧を越えると、比較器２５の出力がＫ点でＬＯＷレベルとなり、炊飯ヒータ制御手段（ト）の比較器１７のマイナス（−）側入力がＬＯＷレベルになるために、比較器１７の出力のＩ点は常にＨＩレベルとなってリレー１８は動作しない。
【００４５】
この状態で炊飯スイッチ７を押すとコンデンサ９は充電され、比較器１２の出力Ｆ点はＨＩレベルとなるが、炊き上がり記憶手段（ヌ）の比較器２５の出力Ｋ点はＬＯＷレベルになっているために、比較器１７のＧ点はＬＯＷレベル状態を維持する。
【００４６】
このような作用により、炊き上がりを検知した後に炊飯スイッチを押しても、炊飯ヒータが通電されないように再加熱防止機能を有することができ、従来の課題であった誤操作防止機能が簡単な回路構成でかつ安価に実現することができる。
【００４７】
図６は本発明の第２の実施の形態における動作シーケンスを示すタイミングチャートであり、以下に図５による動作の補足説明を行う。
【００４８】
なお、図６において（１）から（１０）までの動作は本発明の第１の実施の形態での説明と重複するので省略し、その次の動作から説明する。
【００４９】
Ｘ３の時点（４）で感温センサ１が炊き上がり温度を検知すると炊き上がり記憶回路の出力Ｋが（１１）でＬＯＷレベルにセットされ、炊飯ヒータ制御回路の出力ＩがＨＩレベルで固定され、Ｘ５の時点の保温工程で炊飯開始スイッチ（ハ）を（１２）のように押して炊飯開始保持回路の出力Ｆが（１３）でＨＩレベルになっても、炊飯ヒータは（１４）の点でＯＦＦのままであり、再加熱防止機能として作用することができる。
【００５０】
（実施の形態３）
図７は本発明の第３の実施の形態における非マイコン炊飯器の制御回路の概略構成を示すブロック図であり、図７において、図１〜図６と同一の構成のものは同一の符号を付与して詳細な説明を省略するが、（ル）は炊飯工程表示手段、（オ）は保温工程表示手段、（ワ）は蒸らし工程表示手段で、いずれも発光ダイオード（以下、ＬＥＤと呼ぶ）と直列接続された電流制限抵抗から構成されている。
【００５１】
炊飯工程表示手段（ル）は炊飯工程中の表示をし、炊飯ヒータ制御手段（ト）の出力でドライブされる。保温工程表示手段（オ）は保温工程中の表示をし、炊飯開始保持手段（ヘ）の出力でドライブされる。蒸らし工程表示手段（ワ）は蒸らし工程表示手段で炊飯工程と保温工程の中間工程のみに表示を必要とするものである。この表示ドライブは炊飯開始保持手段（ヘ）の出力と温度検知手段（ロ）の出力の電圧差を利用して発光し表示する構成としたものである。以上の構成から、炊飯・蒸らし・保温と順次表示できる炊飯器の表示作用を簡単に得ることができる。
【００５２】
図８は本発明の第３の実施の形態における非マイコン炊飯器の具体的な構成を示した回路図であり、図８を用いてその動作を説明する。なお、第１および第２の実施の形態で説明した部分と重複するところは説明を簡略化する。なお、炊飯工程表示手段（ル）は電流制限抵抗器２６とＬＥＤ２７の直列回路で構成されており、リレー１８と並列に接続されている。
【００５３】
まず、炊飯開始スイッチ７が押されると、炊飯ヒータ制御手段（ト）である比較器１７の出力ＩがＬＯＷレベルとなるため、リレー１８が動作すると同時に炊飯工程表示手段（ル）のＬＥＤ２７が点灯し、炊飯工程中であることを表示する。
【００５４】
次に、感温センサ１が炊き上がり温度を検知すると、温度検知手段（ロ）である比較器５の出力ＣがＬＯＷレベルとなり、炊飯ヒータ制御手段（ト）の比較器１７の出力ＩがＨＩレベルとなるため、リレー１８の動作が停止し、炊飯工程表示手段（ル）のＬＥＤ２７が消えると同時に炊飯開始保持手段（ヘ）である比較器１２の出力ＦはＨＩレベルを保持しているため、蒸らし工程表示手段（ワ）のＬＥＤ２９のアノードとカソード間に電位差が発生し、電流制限抵抗２８を介して電流が流れ、ＬＥＤ２９が点灯する。
【００５５】
このように本構成では、炊飯工程表示用のＬＥＤ２７が消灯した直後から蒸らし工程表示用のＬＥＤ２９が点灯する。これは炊飯開始時に充電された状態のコンデンサ９が温度検知手段（ロ）である比較器５の出力ＣがＬＯＷレベルとなった時点から放電回路手段（ホ）となり、抵抗器６と他の回路からの流れ込み防止用ダイオード４４を介して放電するからである。この蒸らし工程表示用ＬＥＤ２９は、コンデンサ９のＤ点の電圧が抵抗器１０と抵抗器１１で分圧された基準電圧Ｅ点の電圧より低くなるまで点灯する。
【００５６】
次に、コンデンサ９のＤ点の電圧が基準電圧Ｅ点以下になると比較器１２の出力ＦがＬＯＷレベルになり、蒸らし工程表示用ＬＥＤ２９のアノードとカソード間の電位差が無くなりＬＥＤが消灯すると同時に保温工程表示手段（オ）のＬＥＤ３１が電流制限抵抗３０を介して流れこむ電流により点灯する。
【００５７】
このような構成とすることにより、炊飯プロセスに応じた表示が特別なシーケンス回路を必要とすることなく得られ、炊飯プロセスの視認が容易となり、従来のように炊き上がり直後の芯のあるご飯を食べることが避けられるという効果がある。
【００５８】
なおダイオード３２は保温工程表示手段（オ）と蒸らし工程表示手段（ワ）の駆動レベルの分離用で、ダイオード１３は再加熱防止手段（ヨ）の比較器２５の出力Ｋの駆動レベルの分離用で、ダイオード４４は温度検知手段（ロ）と充放電回路手段（ニ）（ホ）の駆動レベルの分離用である。また、１９はリレー１８の接点で炊飯ヒータ２０から商用電源３９に接続されている。
【００５９】
保温温度制御手段（カ）は比較器３５と基準電圧を得るための抵抗器３３と抵抗器３４で構成され、その基準電圧で設定された保温温度（約７２℃）と、感温センサ１と抵抗器２で分圧された電圧を比較判別し、比較器３５の出力Ｍにより電流制限抵抗３６を介してサイリスタ３７をドライブする。サイリスタ３７は保温ヒータ３８を制御し、ご飯の保温温度を一定に保つ作用をするものである。４０は整流用ダイオード、４１は電圧ドロップ用の抵抗、４３は直流安定電圧を得るための定電圧ダイオード、４２は平滑用コンデンサである。
【００６０】
図９は、上記本発明の第３の実施の形態における動作シーケンスを示すタイミングチャートであり、図９を用いて詳細な動作を説明する。
【００６１】
図９において（１）〜（１１）までの動作は上記本発明の第１、第２の実施の形態での説明と重複するのでその次の動作から説明する。
【００６２】
Ｘ１時点の（１）で炊飯開始スイッチ（ハ）を押すとＸ２の時点で炊飯ヒータ（３）が通電され、炊飯ＬＥＤも（１５）で点灯する。Ｘ３の時点の容器内の温度（４）で炊き上がり温度に達すると温度検出手段の（５）がＬＯＷレベルになり、炊飯ヒータは（６）でＯＦＦすると同時に炊飯ＬＥＤも（１６）で消灯し、蒸らしＬＥＤ（１７）が点灯する。蒸らしＬＥＤはＸ４の時点で蒸らしタイマーが終了する（１０）の点（１８）で消灯し、同時に保温ＬＥＤ（１９）が点灯する。保温工程ではその後Ｘ６の時点（２０）のように保温制御動作に移る。このように炊飯プロセスに沿ったシーケンス表示が実行される。
【００６３】
なお、以上の実施の形態では、感温センサ（イ）をサーミスタで説明したが、その出力が電圧に変換できるものであれば置き換えが可能で同様の効果が得られる。かつ、炊飯開始保持手段（ヘ）と再加熱防止手段（ヨ）と保温ヒータ制御手段（ワ）を比較器で構成した説明をしたが、その他のトランジスタやオペアンプで構成しても同様の効果が得られる。
【００６４】
また、炊飯開始保持手段（ヘ）と炊き上がり記憶手段（ヌ）の基準電圧を共通の２本の抵抗器１０，１１で構成するとして説明したが、別々の各２本の抵抗器で構成しても同様の効果が得られる。
【００６５】
さらに、温度検知手段（ロ）と炊飯開始保持手段（ヘ）と炊飯ヒータ制御手段（ト）と再加熱防止手段（ヨ）と保温ヒータ制御手段（ワ）の基準電圧をそれぞれ２本の抵抗器で構成した説明をしたが、数本の抵抗器を直列接続し、それぞれの接続点から基準電圧として取り出す構成としても同様の効果が得られる。
【００６６】
【発明の効果】
以上のように本発明による非マイコン炊飯器の制御回路は、コンデンサの充電回路手段と炊飯開始保持手段で炊飯開始スイッチの作動を自己保持し、温度検出手段の出力でコンデンサの充電回路手段を放電回路手段に切り換えるという簡単な構成としたことにより、従来に比べて安価に蒸らしタイマー機能が得られ、米飯品質を向上させることができる。
【００６７】
また、充電回路手段のコンデンサに温度検出手段の出力で充電させて炊き上がり記憶手段を構成し、この出力信号で炊飯ヒータ制御手段の動作を禁止させることにより、炊き上がり後の炊飯開始スイッチの誤操作等による再加熱防止機能が得られ、失敗無く米飯を得ることができる。
【００６８】
さらに、炊飯表示手段を炊飯制御手段の出力でドライブし、保温工程表示手段を炊飯開始保持手段の出力でドライブするが、蒸らし工程表示手段が炊飯工程と保温工程の中間工程で表示するように炊飯開始保持手段の出力と温度検出手段の出力の電位差で発光するように表示手段である表示素子（ＬＥＤ）を接続する構成とすることにより、ダイオード２本程度の追加により炊飯プロセスに従った炊飯・蒸らし・保温と順次表示できる炊飯器の工程表示機能を容易に得ることができる。
【図面の簡単な説明】
【図１】本発明の実施の形態１における非マイコン炊飯器の制御回路の基本構成を示すブロック図
【図２】同制御回路の具体例を示す制御回路図
【図３】同動作シーケンスを示すタイミングチャート
【図４】同実施の形態２における非マイコン炊飯器の制御回路の概略構成を示すブロック図
【図５】同制御回路の具体例を示す制御回路図
【図６】同動作シーケンスを示すタイミングチャート
【図７】同実施の形態３における非マイコン炊飯器の制御回路の概略構成を示すブロック図
【図８】同制御回路の具体例を示す回路図
【図９】同動作シーケンスを示すタイミングチャート
【図１０】従来のマイクロコンピュータ方式における炊飯器の制御回路の機能ブロック図
【図１１】従来のマイクロコンピュータ方式における蒸らしタイマーの構成を示すブロック図
【図１２】従来のマイクロコンピュータ方式における再加熱防止のプログラム上のフローチャート
【図１３】従来の非マイコン方式における炊飯器の構造を示す断面図
【図１４】図１３の電気回路構成を示す回路図
【符号の説明】
１  感温センサ
２，３，４，６，８，１０  抵抗器
１１，１４，１５，１６  抵抗器
５，１２，１７  比較器
７  スイッチ
９，４２  コンデンサ
１３，２１，４４  ダイオード
１８  リレー
１９  接点
２０  炊飯ヒータ
３９  商用電源
４０  整流ダイオード
４３  定電圧ダイオード
【図１】
0003555324.tif 000002
【図２】
0003555324.tif 000003
【図３】
0003555324.tif 000004
【図４】
0003555324.tif 000005
【図５】
0003555324.tif 000006
【図６】
0003555324.tif 000007
【図７】
0003555324.tif 000008
【図８】
0003555324.tif 000009
【図９】
0003555324.tif 000010
【図１０】
0003555324.tif 000011
【図１１】
0003555324.tif 000012
【図１２】
0003555324.tif 000013
【図１３】
0003555324.tif 000014
【図１４】
0003555324.tif 000015